(57)【要約】  【課題】ドアロックに指はさみ防止機能、ドア固定機能、防犯機能を与え、多様な機能を選択的に使用できるようにしたＤＣモーターの制動抵抗を用いたマルチドアロックを提供すること。  【解決手段】本発明のマルチドアロックは、開き戸１００に設けられるドアロックユニット２００と、前記ドアロックユニットに設けられる無電源状態のＤＣモーター３００と、一端は前記ＤＣモーターに連結されて他端は框に設けられた状態で、前記開き戸が開閉されるとき、開かれるか又は折り畳まれるリンク部４００、４１０と、を含み、前記ドアロックユニット２００は、前記開き戸１００を開閉するとき、ＤＣモーター３００の制動抵抗値を随時変更して前記開き戸の開閉速度を調節する。  【選択図】      図１０
2010522295.tif 000002
【特許請求の範囲】
【請求項１】
開き戸１００に設けられるドアロックユニット２００と、
前記ドアロックユニットに設けられる無電源状態のＤＣモーター３００と、
一端は前記ＤＣモーターに連結されて他端は框に設けられた状態で、前記開き戸が開閉されるとき、開かれるか又は折り畳まれるリンク部４００、４１０と、を含み、
前記ドアロックユニット２００は、前記開き戸１００を開閉するとき、ＤＣモーター３００の制動抵抗値を随時変更して前記開き戸の開閉速度を調節することを特徴とするＤＣモーターの制動抵抗を用いたマルチドアロック。
【請求項２】
前記ＤＣモーター３００の電源線３３０の両端に連結されて状況に応じてＤＣモーターをショートさせるリレースイッチ７００をさらに含み、
前記開き戸１００を固定しようとするときは、前記リレースイッチ７００によって前記ＤＣモーター３００をショ−トさせて前記開き戸が動かないように制動することを特徴とする請求項１に記載のＤＣモーターの制動抵抗を用いたマルチドアロック。
【請求項３】
前記ドアロックユニット２００の側部にバネ２２０によって弾性的に突出するように設けられ、前記リレースイッチ７００に電源を供給する充電式乾電池２３０と電気的に連結される第１接続端子２１０と、
框の前記第１接続端子２１０に対応する位置に設けられ、メイン電源線と連結されて電源を供給する第２接続端子２１０ａと、をさらに含み、
前記第１接続端子２１０と第２接続端子２１０ａとは前記開き戸が閉まった状態で相互接続されて前記充電式乾電池２３０を充電させることを特徴とする請求項２に記載のＤＣモーターの制動抵抗を用いたマルチドアロック。
【請求項４】
前記ドアロックユニット２００には、前記リレースイッチ７００に電源を供給するための充電式乾電池２３０が設けられ、前記充電式乾電池２３０は前記ＤＣモーター３００と電気的に連結され、前記開き戸１００が開閉されるとき強制的に回転しながら発生するＤＣモーターの電気によって充電されることを特徴とする請求項２に記載のＤＣモーターの制動抵抗を用いたマルチドアロック。
【請求項５】
前記ドアロックユニット２００は、前記リレースイッチ７００を作動させるための固定ボタン８００及び解除ボタン８１０を備え、前記固定ボタン８００を押せば、前記リレースイッチ７００が前記ＤＣモーターをショ−トさせて前記開き戸１００を開かれた状態または閉まった状態で固定させ、前記解除ボタン８１０を押せば、前記開き戸１００の固定状態が解除されることを特徴とする請求項２に記載のＤＣモーターの制動抵抗を用いたマルチドアロック。
【請求項６】
前記ドアロックユニット２００は、
前記ドアロックユニット２００と電気的に連結される所定長さを持つケーブル８２０と、
前記ケーブル８２０の下端に設けられ、前記固定ボタン８００及び解除ボタン８１０と同一機能を持つ補助固定ボタン８００ａ及び補助解除ボタン８１０ａと、を含むことで、前記開き戸１００の固定／解除動作が子供や老弱者によっても行われるようにすることを特徴とする請求項５に記載のＤＣモーターの制動抵抗を用いたマルチドアロック。
【請求項７】
前記ＤＣモーター３００は、
１次ギア３２１が一体的に形成された最終出力軸３２０と、
前記１次ギア３２１とギア結合される２次ギア３４１が一体的に形成された第１出力軸３４２及び３次ギア３４４が一体的に形成された回転軸３４３を備える第１ＤＣモーター３４０と、
前記３次ギア３４４とギア結合される４次ギア３５２が一体的に形成された第２出力軸３５１を備える第２ＤＣモーター３５０と、を含むことを特徴とする請求項１に記載のＤＣモーターの制動抵抗を用いたマルチドアロック。
【請求項８】
前記第１ＤＣモーター３４０の回転軸３４３に設けられた回転感知部３６０をさらに含むことを特徴とする請求項７に記載のＤＣモーターの制動抵抗を用いたマルチドアロック。
【請求項９】
前記回転感知部３６０は、
前記回転軸３４３に一体的に連結されて前記回転軸３４３と同方向に回転し、外周面に長区間３７０、回転検出突起３７１、短区間３７２が繰り返して形成される回転カム３６２と、
前記回転カム３６２の外周面に密着されて前記回転カムの回転を感知する回転感知マイクロスイッチ３６１と、を含み、
前記回転感知マイクロスイッチは、前記回転カム３６２が時計回り方向に回転して長区間３７０、回転検出突起３７１、短区間３７２を順次繰り返して通れば前記開き戸１００が開かれる途中にあると判断し、前記回転カム３６２が反時計回り方向に回転して短区間３７２、回転検出突起３７１、長区間３７０を順次繰り返して通れば前記開き戸１００が閉まる途中にあると判断することを特徴とする請求項８に記載のＤＣモーターの制動抵抗を用いたマルチドアロック。
【請求項１０】
前記回転感知マイクロスイッチ３６１は前記ドアロックユニット２００の制御部５００と電気的に連結され、前記回転感知マイクロスイッチ３６１が回転カム３６２の正回転または逆回転を感知すれば、前記制御部５００は直ちに前記ＤＣモーター３００の制動抵抗値を変化させて前記開き戸１００の開閉速度を調節することを特徴とする請求項９に記載のＤＣモーターの制動抵抗を用いたマルチドアロック。
【請求項１１】
前記ドアロックユニット２００は外部に突出して前記開き戸１００と框の間に指が入っているか否かを感知する指はさみ感知センサー６００をさらに含むことを特徴とする請求項１に記載のＤＣモーターの制動抵抗を用いたマルチドアロック。
【請求項１２】
前記ドアロックユニット２００に設けられて前記開き戸１００の閉まった状態を感知する閉まり感知センサー６１０と、
前記ドアロックユニット２００の制御部５００とリアルタイムで無線通信して防犯ボタン９１０を備えたリモコン９００と、をさらに含み、
前記開き戸が閉まって前記閉まり感知センサー６１０が「ＯＮ」の状態で前記リモコンの防犯ボタンを押せば、前記ドアロックユニットの制御部は防犯モードに切り換えられ、外部者が強制的に開き戸を開けば前記閉まり感知センサーが作動（ＯＦＦ）して外部に知らせることを特徴とする請求項１に記載のＤＣモーターの制動抵抗を用いたマルチドアロック。
【請求項１３】
前記ドアロックユニット２００に設けられて外部の動きを感知する動き感知センサー６２０をさらに含み、
前記動き感知センサーは外部者の侵入を感知して非常ベル及び／または照明灯でこれを外部に知らせることを特徴とする請求項１に記載のＤＣモーターの制動抵抗を用いたマルチドアロック。
【請求項１４】
前記リンク部４００、４１０の間に設けられたドア閉まりシリンダー４２０をさらに含み、
前記ドア閉まりシリンダー４２０は、
前記リンク部４００と連結された中空型案内管４３０と、
一端は前記案内管４３０の内部に挿入／引出されるように案内され、他端は前記リンク部４１０に連結されるピストン４４０と、
一端は前記ピストン４４０に連結されて他端は前記リンク部４００に設けられた固定ピン４６０に連結され、前記ピストン４４０を前記案内管４３０の内部に引っ張る復帰バネ４５０と、を含むことを特徴とする請求項１に記載のＤＣモーターの制動抵抗を用いたマルチドアロック。
【発明の詳細な説明】
【技術分野】
【０００１】
本発明は、ＤＣモーターの制動抵抗を用いたマルチドアロックに関し、より詳しくは、開き戸に使われるドアロックユニットに無電源状態のＤＣモーターを設け、開き戸の移動速度を調節して固定させるＤＣモーターの制動抵抗を用いたマルチドアロックに関する。
【背景技術】
【０００２】
一般に、開き戸は建物に設けられて空間を区切るか又は区画された所定空間から他の空間に移動できるように開閉可能に設けられる。その構成を簡単に説明すれば、壁面の所定部分に框を設けた後、開き戸と框の上下部に蝶番を設け、前記蝶番によって開き戸が開閉できるように構成されている。
【０００３】
このような開き戸を開閉するとき、蝶番が設けられた框と開き戸の間には隙間が生じる。このとき、従来の開き戸には別の指はさみ防止装置が用意されていないため、開き戸が閉まるとき、指が挟まり負傷に繋がることがある。このような事故は、大人に比べて注意力がなく安全意識の欠けている子供に頻繁に発生する。
【０００４】
また、従来の開き戸には別のドア固定機能が用意されていないため、開き戸が開かれた状態で外部の干渉や風によって開き戸が急に閉じてしまい、騒音や事故を引き起す恐れがある。
【発明の概要】
【発明が解決しようとする課題】
【０００５】
したがって、本発明は上記のような従来の問題点に鑑みて案出されたものであって、基本的にはドアロックに指はさみ防止機能、ドア固定機能、防犯機能を与え、多様な機能を選択的に使用できるようにしたＤＣモーターの制動抵抗を用いたマルチドアロックを提供することを目的とする。
【０００６】
本発明の他の目的は、開き戸に使われるドアロックに無電源状態のＤＣモーターを設け、開き戸が開閉される動作に従って前記ＤＣモーターの制動抵抗値を随時変更させ、開き戸の開閉動作を制御できるように構成したＤＣモーターの制動抵抗を用いたマルチドアロックを提供することである。
【０００７】
本発明のさらに他の目的は、開き戸が開かれるときには、ＤＣモーターの制動抵抗値を大きくし、少ない力でも開き戸を開き易く構成したＤＣモーターの制動抵抗を用いたマルチドアロックを提供することである。
【０００８】
本発明のさらに他の目的は、開き戸が閉まるときには、ＤＣモーターの制動抵抗値を小さくして適切な速度で閉まるようにし、完全に閉まる瞬間には制動抵抗値をさらに小さくして開き戸が閉まる衝撃を減らせるように構成したＤＣモーターの制動抵抗を用いたマルチドアロックを提供することである。
【０００９】
本発明のさらに他の目的は、無電源状態のＤＣモーターをショートさせて開き戸の動きを固定させることで、ユーザの選択によって如何なる位置でも開き戸を固定できるように構成したＤＣモーターの制動抵抗を用いたマルチドアロックを提供することである。
【課題を解決するための手段】
【００１０】
上記の目的を達成するために、本発明は開き戸に設けられるドアロックユニットと、前記ドアロックユニットに設けられる無電源状態のＤＣモーターと、一端は前記ＤＣモーターに連結されて他端は框に設けられた状態で、前記開き戸が開閉されるとき、開かれるか又は折り畳まれるリンク部と、を含み、前記ドアロックユニットは前記開き戸を開閉するとき、ＤＣモーターの制動抵抗値を随時変更して前記開き戸の開閉速度を調節するＤＣモーターの制動抵抗を用いたマルチドアロックを提供する。
【００１１】
望ましくは、前記マルチドアロックが前記ＤＣモーターの電源線の両端に連結され、状況に応じてＤＣモーターをショートさせるリレースイッチをさらに含み、前記開き戸を固定しようとするときは、前記リレースイッチによって前記ＤＣモーターをショ−トさせて前記開き戸が動かないように制動する。
【００１２】
望ましくは、前記マルチドアロックが前記ドアロックユニットの側部にバネによって弾性的に突出するように設けられて前記リレースイッチに電源を供給する充電式乾電池と電気的に連結される第１接続端子と、框の前記第１接続端子に対応する位置に設けられてメイン電源線と連結されて電源を供給する第２接続端子と、をさらに含み、前記第１接続端子と第２接続端子とは前記開き戸が閉まった状態で相互接続されて前記充電式乾電池を充電させる。
【００１３】
望ましくは、前記ドアロックユニットには前記リレースイッチに電源を供給するための充電式乾電池が設けられ、前記充電式乾電池は前記ＤＣモーターと電気的に連結され、前記開き戸が開閉されるとき強制的に回転しながら発生するＤＣモーターの電気によって充電される。
【００１４】
望ましくは、前記ドアロックユニットが前記リレースイッチを作動させるための固定ボタン及び解除ボタンを備え、前記固定ボタンを押すことで前記リレースイッチが前記ＤＣモーターをショ−トさせて前記開き戸を開かれた状態または閉まった状態で固定させ、前記解除ボタンを押すことで前記開き戸の固定状態が解除される。
【００１５】
望ましくは、前記ドアロックユニットが前記ドアロックユニットと電気的に連結される所定長さを持つケーブルと、前記ケーブルの下端に設けられて前記固定ボタン及び解除ボタンと同一機能を持つ補助固定ボタン及び補助解除ボタンと、を含み、それによって前記開き戸を固定／解除する動作が子供や老弱者によっても行われる。
【００１６】
望ましくは、前記ＤＣモーターは１次ギアが一体的に形成された最終出力軸と、前記１次ギアとギア結合される２次ギアが一体的に形成された第１出力軸及び３次ギアが一体的に形成された回転軸を備える第１ＤＣモーターと、前記３次ギアとギア結合される４次ギアが一体的に形成された第２出力軸を備える第２ＤＣモーターと、を含む。
【００１７】
望ましくは、前記マルチドアロックが前記第１ＤＣモーターの回転軸に形成された回転感知部をさらに含む。
【００１８】
望ましくは、前記回転感知部が前記回転軸に一体的に連結されて前記回転軸と同方向に回転し、外周面に長区間、回転検出突起、短い区間が繰り返して形成される回転カムと、前記回転カムの外周面に密着されて前記回転カムの回転を感知する回転感知マイクロスイッチと、を含み、前記回転感知マイクロスイッチは、前記回転カムが時計回り方向に回転して長区間、回転検出突起、短い区間を順次繰り返して通れば前記開き戸が開かれる途中にあると判断し、前記回転カムが反時計回り方向に回転して短い区間、回転検出突起、長区間を順次繰り返して通れば前記開き戸が閉まる途中にあると判断する。
【００１９】
望ましくは、前記回転感知マイクロスイッチが前記ドアロックユニットの制御部と電気的に連結され、前記回転感知マイクロスイッチが回転カムの正回転または逆回転を感知すれば、前記制御部は直ちに前記ＤＣモーターの制動抵抗値を変化させて前記開き戸の開閉速度を調節する。
【００２０】
望ましくは、前記マルチドアロックが前記ドアロックユニットの外部に突出して前記開き戸と框間に指が入っているか否かを感知する指はさみ感知センサーをさらに含む。
【００２１】
望ましくは、前記マルチドアロックが前記ドアロックユニットに設けられて前記開き戸の閉まった状態を感知する閉まり感知センサーと、前記ドアロックユニットの制御部とリアルタイムで無線通信して防犯ボタンを備えたリモコンと、をさらに含み、前記開き戸が閉まって前記閉まり感知センサーが「ＯＮ」の状態で前記リモコンの防犯ボタンが押されると、前記ドアロックユニットの制御部が防犯モードに切り換えられ、外部者が強制的に開き戸を開けば前記閉まり感知センサーが作動して外部に知らせる。
【００２２】
望ましくは、前記マルチドアロックが前記ドアロックユニットに設けられて外部の動きを感知する動き感知センサーをさらに含み、前記動き感知センサーは外部者の侵入を感知して非常ベル及び／または照明灯によってこれを外部に知らせる。
【００２３】
望ましくは、前記マルチドアロックが前記リンク部の間に設けられたドア閉まりシリンダーをさらに含み、前記ドア閉まりシリンダーは前記リンク部と連結された中空型案内管と、一端は前記案内管の内部に挿入／引出されるように案内されて他端は前記リンク部に連結されるピストンと、一端は前記ピストンに連結されて他端は前記リンク部に設けられた固定ピンに連結され、前記ピストンを前記案内管の内部に引っ張る復帰バネと、を含む。
【図面の簡単な説明】
【００２４】
【図１】本発明によるマルチドアロックが開き戸に設けられた状態を示した斜視図である。
【図２】本発明によるマルチドアロックの斜視図である。
【図３】本発明によるマルチドアロックの要部拡大斜視図である。
【図４】本発明によるマルチドアロックの内部を示した正面図である。
【図５】図１のＡ部の拡大図である。
【図６】本発明によるドア閉まりシリンダーの断面図である。
【図７】本発明によるマルチドアロックによって開き戸が閉まった状態を示した平面図である。
【図８】本発明によるマルチドアロックによって開き戸が開かれた状態を示した平面図である。
【図９】本発明によるＤＣモーターの構成図である。
【図１０】本発明によるＤＣモーターの内部を示した構成図である。
【図１１】本発明による回転感知部の底面を示した構成図である。
【図１２】本発明によるＤＣモーターの制動抵抗値が変化する状態を示した回路図である。
【発明を実施するための形態】
【００２５】
以下、本発明の望ましい実施例を添付図面を参照してより詳細に説明する。
図１は、本発明によるマルチドアロックが開き戸に設けられた状態を示した斜視図であり、図２は本発明によるマルチドアロックの斜視図であり、図３は本発明によるマルチドアロックの要部拡大斜視図であり、図４は本発明によるマルチドアロックの内部を示した正面図であり、図５は図１のＡ部の拡大図であり、図６は本発明によるドア閉まりシリンダーの断面図であり、図７は本発明によるマルチドアロックによって開き戸が閉まった状態を示した平面図であり、図８は本発明によるマルチドアロックによって開き戸が開かれた状態を示した平面図であり、図９は本発明によるＤＣモーターの構成図であり、図１０は本発明によるＤＣモーターの内部を示した構成図であり、図１１は本発明による回転感知部の底面を示した構成図であり、図１２は本発明によるＤＣモーターの制動抵抗値が変化する状態を示した回路図である。
【００２６】
本発明によるマルチドアロックは、図１ないし図１２に示されたように、開き戸１００に設けられるドアロックユニット２００、前記ドアロックユニットに設けられる無電源状態のＤＣモーター３００、一端は前記ＤＣモーターに連結されて他端は框に設けられた状態で、前記開き戸が開閉されるとき、開かれるか又は折り畳まれるリンク部４００、４１０、及び前記ＤＣモーター３００の電源線３３０の両端に連結され、状況に応じてＤＣモーターをショートさせるリレースイッチ７００を含む。前記ドアロックユニット２００は、前記開き戸１００を開閉するとき、ＤＣモーター３００の制動抵抗値を随時変更して前記開き戸の開閉速度を調節する。前記開き戸１００を固定しようとするときは、前記リレースイッチ７００によって前記ＤＣモーター３００をショ−トさせて前記開き戸が動かないように制動する。
【００２７】
前記ＤＣモーター３００は制動抵抗と連結され、開き戸１００の開き／閉まり動作に従って制動抵抗値が随時変化する。すなわち、前記ＤＣモーター３００は制動抵抗値が大きければ大きいほど少ない力で開き戸を開き易くし、ＤＣモーター３００の制動抵抗値が少なければ少ないほど開き戸がゆっくり閉まるようにした。より詳細に説明すれば、図１２のように、１００Ω、２００Ω、３００Ω、４００Ωと制動抵抗値が順次大きくなるほどＤＣモーター３００が回転し易くなり、それによって開き戸１００は少ない力で容易に開かれる。また、４００Ω、３００Ω、２００Ω、１００Ωと制動抵抗値が順次小くなるほどＤＣモーター３００が回転し難くなり、それによって開き戸がゆっくり閉まって開き戸が完全に閉まるときの衝撃を緩和させる。開き戸１００が完全に閉まる瞬間には制動抵抗値をゼロにし、ＤＣモーター３００が回転しなくなることによって開き戸が完全に閉まった状態で固定される。
【００２８】
前記ＤＣモーター３００は、１次ギア３２１が下端に一体的に形成された最終出力軸３２０と、前記１次ギア３２１とギア結合される２次ギア３４１が一体的に形成された第１出力軸３４２及び３次ギア３４４が下端に一体的に形成された回転軸３４３を備える第１ＤＣモーター３４０と、前記３次ギア３４４とギア結合される４次ギア３５２が一体的に形成された第２出力軸３５１を備える第２ＤＣモーター３５０と、を含む。
【００２９】
前記第１ＤＣモーター３４０と第２ＤＣモーター３５０には同じ機能を果たす減速機３１０、電源線３３０、リレースイッチ７００が設けられる。
【００３０】
第１ＤＣモーター３４０の回転軸３４３の下端には回転感知部３６０が設けられる。前記回転感知部３６０は、大別して回転カム３６２及び回転感知マイクロスイッチ３６１を含む。
【００３１】
回転カム３６２は回転軸３４３上に一体的に連結され、回転軸３４３と同方向に正逆回転する。回転カム３６２の外周面には長区間３７０、回転検出突起３７１、短区間３７２が繰り返して形成される。
【００３２】
回転感知マイクロスイッチ３６１は回転カム３６２の外周面に密着される。回転カム３６２が時計回り方向に回転すれば、回転感知マイクロスイッチ３６１は回転カム３６２の長区間３７０、回転検出突起３７１、短区間３７２を順次繰り返して通りながら開き戸１００が開かれる途中にあることを感知する。また、回転カム３６２が反時計回り方向に回転すれば、回転感知マイクロスイッチ３６１は回転カム３６２の短区間３７２、回転検出突起３７１、長区間３７０を順次繰り返して通りながら開き戸１００が閉まる途中にあることを感知する。
【００３３】
前記回転感知マイクロスイッチ３６１は、前記ドアロックユニット２００の制御部５００と電気的に連結される。前記回転感知マイクロスイッチ３６１が回転カム３６２の正回転または逆回転を感知すれば、前記制御部５００は直ちに前記ＤＣモーター３００の制動抵抗値を変化させて前記開き戸１００の開閉速度を調節する。
【００３４】
前記ＤＣモーター３００が設けられる全体的なマルチドアロックの構成を説明すると、以下のようである。本発明のマルチドアロックは、開き戸１００の上端一方に設けられ、内部に設けられたＤＣモーター３００の制動抵抗を用いて開き戸の開閉動作を制御するドアロックユニット２００、及び一端は前記ＤＣモーター３００の上端に位置した最終出力軸３２０に連結されて他端は框の上端に設けられ、開き戸１００が開閉できるように開かれるか又は折り畳まれるリンク部４００、４１０から構成される。
【００３５】
前記マルチドアロックは、指はさみ防止機能、開き戸の開かれた状態や閉まった状態を維持させる固定機能、防犯機能を持ち得る。
【００３６】
ドアロックユニット２００は開き戸１００の上端に設けられ、リンク部４００、４１０と有機的に連結されて開き戸の開閉動作を制御するように構成される。
【００３７】
その構成をより詳しく説明すれば、ドアロックユニット２００の内部には上端に減速機３１０が設けられる無電源状態のＤＣモーター３００が設けられる。また、前記ドアロックユニット２００は、一端は前記減速機３１０とギア結合された最終出力軸３２０に連結され、他端は開き戸１００の上端に設けられた状態で、開き戸が開閉されると自然に動くリンク部４００、４１０と連結される。
【００３８】
このとき、前記ドアロックユニット２００は指はさみ感知センサー６００をさらに含み得る。指はさみ感知センサー６００は前記ドアロックユニット２００の下端から外部に突設され、開き戸１００と框間に指が入っているか否かを感知する。開き戸と框間に指が入っていることを感知すれば、前記指はさみ感知センサー６００はこれを制御部５００に伝達する。
【００３９】
前記ドアロックユニット２００は、リレースイッチ７００をさらに備える。リレースイッチ７００は前記ＤＣモーター３００の電源線３３０の両端に連結される。この状態で、指はさみ感知センサー６００によって開き戸１００と框間に指が入っていることが感知されれば、制御部５００はリレースイッチ７００を制御して無電源状態のＤＣモーター３００をショ−トさせ、最終出力軸３２０を固定させる。最終出力軸３２０が固定されれば、リンク部４００、４１０の動きが遮断されて開き戸１００が閉まらなくなり、開き戸と框間に置かれた指の負傷を防止することができる。
【００４０】
上記のようなＤＣモーター３００は常に無電源状態であり、リレースイッチ７００が作動しても無電源状態を維持する。すなわち、ＤＣモーター３００が無電源状態であるため、普段はＤＣモーター３００の最終出力軸３２０が自在に回転し得る。この場合、リンク部４００、４１０も自在に動きながら開き戸１００を自在に開閉させる。
【００４１】
しかし、リレースイッチ７００が作動すれば、ＤＣモーター３００はショートされる。ＤＣモーター３００がショートされれば最終出力軸３２０が固定され、したがってリンク部４００、４１０は動かない状態になる。このように前記ＤＣモーター３００は無電源状態でブレーキ機能を果たすため、開き戸１００は開閉されない。
【００４２】
リレースイッチ７００は、ドアロックユニット２００の内部に設けられた一般乾電池２４０または充電式乾電池２３０によってオン／オフされる。一般乾電池２４０は交換式で使用し、充電式乾電池２３０は充電式で使用する。
【００４３】
充電式乾電池２３０の充電方法は次のようである。ドアロックユニット２００の側面には、バネ２２０を通じて前後動可能であって、充電式乾電池２３０と電気的に連結される第１接続端子２１０が設けられる。また、第２接続端子２１０ａは前記第１接続端子２１０と電気的に接続できるように框１１０の対応位置に設けられ、メイン電源線（図示せず）と連結されて電源を印加する役割を果たす。このような構成で、開き戸が閉まれば前記第１接続端子２１０と第２接続端子２１０ａが接続され、この状態で充電式乾電池２３０は充電される。
【００４４】
代案的に、前記充電式乾電池２３０はＤＣモーター３００と電気的に連結され、開き戸１００が開閉されるとき、強制的に回転しながら発生するＤＣモーターの電気によって充電されることもできる。
【００４５】
ドア閉まりシリンダー４２０は、リンク部４００とリンク部４１０間に設けられる。前記ドア閉まりシリンダー４２０は、前記リンク部４００と連結された中空型案内管４３０と、一端は前記案内管４３０の内部に挿入／引出されるように案内され、他端は前記リンク部４１０と連結されるピストン４４０と、一端は前記ピストン４４０に連結されて他端は前記リンク部４００に設けられた固定ピン４６０に連結され、前記ピストン４４０を前記案内管４３０の内部で引っ張る復帰バネ４５０と、を含む。
【００４６】
次に、開き戸の固定機能を説明すれば、以下のようである。リレースイッチ７００に固定ボタン８００及び解除ボタン８１０が電気的に連結されるように設けられる。この場合、開き戸１００の開かれた状態または閉まった状態で前記固定ボタン８００を押せば、リレースイッチ７００は開き戸の開かれた状態又は閉まった状態を維持するように、開き戸を固定させるように操作される。同様に、解除ボタン８１０を押せば、リレースイッチ７００は開き戸１００の固定状態を解除させるように操作される。
【００４７】
一方、上記のようなドアロックユニット２００の下端には一定長さを持つケーブル８２０が設けられ、前記ドアロックユニット２００の制御部５００と電気的に連結される。ケーブル８２０の下端には補助固定ボタン８００ａ及び補助解除ボタン８１０ａを設け、子供や老弱者が容易に開き戸１００を固定・解除できるように構成される。
【００４８】
以下、防犯機能について説明する。本発明のマルチドアロックは、前記ドアロックユニット２００に設けられて前記開き戸１００の閉まった状態を感知する閉まり感知センサー６１０、及び前記ドアロックユニット２００の制御部５００とリアルタイムで無線通信して防犯ボタン９１０を備えたリモコン９００をさらに含む。前記閉まり感知センサー６１０は、前記ドアロックユニット２００の制御部５００と電気的に連結される。
【００４９】
このような構成において、前記開き戸が閉まって前記閉まり感知センサー６１０が「ＯＮ」の状態で前記リモコンの防犯ボタンを押せば、前記ドアロックユニットの制御部は防犯モードに切り換わる。防犯モードで外部者が強制的に開き戸を開けば、前記閉まり感知センサーが作動（ＯＦＦ）して外部にこのことを知らせるようになる。外部に知らせる方法は、非常ベルが鳴るか照明灯が点滅する方法が可能である。
【００５０】
動き感知センサー６２０は、ドアロックユニット２００の外部に設けられて使われる。動き感知センサー６２０は、外部者が窓などから侵入したとき、自動的にこれを感知し、非常ベルを鳴らせるか照明灯を点滅させて外部にこのことを知らせるように構成される。
【００５１】
上記のような閉まり感知センサー６１０と動き感知センサー６２０を通じ、非常ベルが鳴るか又は照明灯が点滅するとき、予め入力された電話機の受信モジュールを通じて外部者が侵入したことをユーザに知らせることができる。
【００５２】
ここで、指はさみ感知センサー６００、閉まり感知センサー６１０、動き感知センサー６２０、リレースイッチ７００、送受信機９２０、リモコン９００、ＤＣモーター３００などは制御部５００と電気的に連結され、一般乾電池２４０または充電式乾電池２３０から電源が供給される。また、非常ベル、照明などを作動させる電気的な回路が前記マルチドアロックに備えられる。このような電気的連結及び電気的回路は当技術分野で通常使われる技術内容であるため、これについての具体的な説明は省略する。
【００５３】
このように構成された本発明のマルチドアロックは、以下のように使用することができる。まず、ドアロックユニット２００とリンク部４００、４１０とは開き戸１００と框１１０間に相互有機的に連結される。上記のような状態での最終出力軸３２０は自在に回転できる状態である。したがって開き戸１００を開閉すれば、リンク部４００、４１０は自然に動きながら開き戸１００の開閉動作を妨害しない。
【００５４】
すなわち、開き戸１００が開閉されるとき、ＤＣモーター３００の第１ＤＣモーター３４０及び第２ＤＣモーター３５０は無電源状態であるため、最終出力軸３２０、１次ギア３２１、２次ギア３４１、第１出力軸３４２、回転軸３４３、３次ギア３４４、第２出力軸３５１、４次ギア３５２、及びリンク部４００、４１０は自在に動ける状態である。このような状態で開き戸１００を開閉すれば、前記最終出力軸３２０、１次ギア３２１、２次ギア３４１、第１出力軸３４２、回転軸３４３、３次ギア３４４、第２出力軸３５１、４次ギア３５２、及びリンク部４００、４１０が相互有機的に動きながら開き戸１００が開閉される。
【００５５】
開き戸１００が閉まった状態では、ＤＣモーター３００の制動抵抗値がゼロである。したがって閉まった状態の開き戸を開けば、開き戸１００が開き始めるとき、制動抵抗値が１００Ω、２００Ω、３００Ω、４００Ωと順次大きくなりながら、開き戸１００を少ない力で開き易くする。
【００５６】
逆に、開き戸１００が開かれた状態で閉めれば、開き戸１００がほぼ閉まったとき、制動抵抗値は４００Ω、３００Ω、２００Ω、１００Ωと順次小くなる。これによって、開き戸１００がゆっくり閉まり、開き戸１００が閉まるときに発生する衝撃を緩和させる。開き戸１００が完全に閉まる瞬間には、制動抵抗値がゼロになり、開き戸の閉まった状態が固定される。
【００５７】
開き戸１００の開かれた状態又は閉まった状態を固定しようとする場合、ユーザは固定ボタン８００を押す。この場合、固定ボタン８００によってリレースイッチ７００が作動され、第１ＤＣモーター３４０と第２ＤＣモーター３５０とをショートさせる。ショートされた第１ＤＣモーター３４０は１次ギア３２１、２次ギア３４１、第１出力軸３４２、回転軸３４３、３次ギア３４４の動きを遮断させ、第２ＤＣモーター３５０は３次ギア３４４、第２出力軸３５１、４次ギア３５２の動きを遮断させる。
【００５８】
したがって、最終出力軸３２０の回転力が遮断されることでリンク部４００、４１０が動かなくなり、開き戸１００の開かれた状態を維持するか又は閉まった状態で固定される。このような固定状態は解除ボタン８１０を通じて解除される。
【００５９】
一方、開き戸１００が開閉されるとき、前記開き戸の開き／閉まり動作は回転感知部３６０が感知する。回転感知部３６０で感知された信号は制御部５００に伝達され、制御部５００は感知信号に従ってＤＣモーター３００の制動抵抗値を適切に変換させる。
【００６０】
制動抵抗値が変換される過程は以下のようである。回転感知マイクロスイッチ３６１は、図１１のように回転カム３６２に密着されている。このような状態で第１ＤＣモーター３４０の回転軸３４３上に連結された回転カム３６２は、開き戸１００が開閉される状態に応じて正逆回転する。
【００６１】
このとき、回転カム３６２が時計回り方向（開き戸が開かれる状態）に回転すれば、回転カム３６２の外周面に密着された回転感知マイクロスイッチ３６１は長区間３７０、回転検出突起３７１、短区間３７２を順次繰り返して通りながら開き戸１００が開かれる途中にあることを感知する。また、回転カム３６２が反時計回り方向（開き戸が閉まる状態）に回転すれば、回転感知マイクロスイッチ３６１は短区間３７２、回転検出突起３７１、長区間３７０を順次繰り返して通りながら開き戸１００が閉まる途中にあることを感知する。
【００６２】
回転感知マイクロスイッチ３６１によって感知された信号が制御部５００に伝達されれば、前記制御部５００は直ちにＤＣモーター３００の制動抵抗値を変化させ、開き戸１００を適切な速度で開閉させる。
【００６３】
一方、充電式乾電池２３０を使う場合、充電式乾電池２３０の充電過程は以下のようである。開き戸１００が開閉されるとき、ＤＣモーター３００は強制的に回転しながら電気を発生させる。このとき、充電式乾電池２３０は発生する電気で充電される。また、開き戸１００を閉めれば、第１接続端子２１０は框１１０に設けられた第２接続端子２１０ａと電気的に接続され、前記第１接続端子２１０と第２接続端子２１０ａとを通じて充電式乾電池２３０の充電が行われる。
【００６４】
開き戸１００が閉まった状態では、図７のようにリンク部４００、４１０が相互折り畳まれている。また、案内管４３０の内部にはピストン４４０が挿入され、復帰バネ４５０は圧縮されている。上記のような状態で開き戸１００を開けば、図８のようにリンク部４００、４１０が開かれる。また、開かれるリンク部４００、４１０によってピストン４４０は案内管４３０の内部から復帰バネ４５０のバネ力に反して外部に引き出される。開かれた状態の開き戸１００は復帰バネ４５０の復元力で閉まり易くなる。
【００６５】
一方、開き戸１００と框１１０間に形成された隙間に指などが入れば、指はさみ感知センサー６００がこれを感知する。指はさみ感知センサー６００によって感知された信号は制御部５００に伝達され、前記制御部５００は感知信号に従ってリレースイッチ７００を作動させる。このとき、ＤＣモーター３００の電源線３３０に連結されていたリレースイッチ７００が作動しながらＤＣモーターをショートさせると、前記ＤＣモーター３００は最終出力軸３２０の回転を遮断してリンク部４００、４１０が動かないようにする。したがって、開き戸１００が閉まらなくなり、指が開き戸１００と框間に挟まれることが防止される。
【００６６】
また、ドアを開けて掃除するなど開き戸１００の開かれた状態を維持するために固定ボタン８００を押せば、該固定ボタン８００によってリレースイッチ７００が作動しながらＤＣモーターをショートさせる。この場合、前記ＤＣモーター３００は減速機３１０の最終出力軸３２０の回転を遮断し、リンク部４００、４１０が動かないようにする。したがって、開き戸１００は開かれた状態を維持することができる。開き固定状態は解除ボタン８１０を通じて解除される。
【００６７】
ユーザが外出するとき、開き戸１００を閉めた状態で固定ボタン８００を押せば、上記のような方法で最終出力軸３２０が回転されなくなる。したがって、開き戸１００の閉まった状態におけるロック機能も果たし得る。また、ロック状態でリモコン９００の防犯ボタン９１０を押せば、その信号は送受信機９２０を通じて制御部５００に伝達され、防犯信号が入力された制御部５００は防犯機能モードに切り換わる。
【００６８】
防犯機能状態で外部者が開き戸１００を強制的に開けば、開き戸が開かれたことを閉まり感知センサー６１０が感知する。閉まり感知センサー６１０によって感知された信号は制御部５００に伝達され、非常ベルを鳴らせるか又は照明灯を点滅させて外部者の侵入を周辺に知らせる。
【００６９】
動き感知センサー６２０は、外部者が開き戸１００から侵入せず窓等から侵入した場合、外部者の侵入を感知する。動き感知センサー６２０が外部者の侵入を感知すれば、その感知信号は制御部５００に伝達される。前記感知信号が伝達された制御部５００は、非常ベルを鳴らせるか又は照明灯を点滅させて外部者の侵入を周辺に知らせる。
【００７０】
また、上記のように制御部５００が防犯モードであるとき、外部者が侵入すれば、電話機の受信モジュールを通じて予め入力された電話機に受信されるため、ユーザは外部でも外部者が侵入したことを容易に知ることができる。
【産業上の利用可能性】
【００７１】
本発明によれば、基本的にマルチドアロックに指はさみ防止機能、ドア固定機能、防犯機能を付与しているため、マルチドアロックを多機能で使うことができる。
【００７２】
また、開き戸に設けられるドアロックユニットに無電源状態のＤＣモーターが設けられ、ＤＣモーターは開き戸の開閉動作に従って制動抵抗値が随時変化するため、開き戸の開閉動作を容易に制御することができる。
【００７３】
また、開き戸が開かれるときには、ＤＣモーターの制動抵抗値が大きくなるため、少ない力でも容易に開き戸を開くことができる。
【００７４】
また、開き戸が閉まるときには、ＤＣモーターの制動抵抗値が小さくなるため、適切な速度で閉まるだけでなく完全に閉まる瞬間には制動抵抗値がさらに小さくなり、開き戸が閉まる衝撃を減らすことができる。
【００７５】
特に、開き戸が開かれた状態で開き戸と框間に形成された隙間に指などが入れば、これを感知して開き戸が閉まることを強制的に遮断するため、指が挟まることを防止することで安全事故の危険性を予防することができる。
【００７６】
また、前記マルチドアロックにはドア固定機能が与えられている。ドア固定機能によって開き戸が開かれた状態を維持しながら固定された状態になるため、外部の干渉や風によって開き戸が急に閉まることを防止することができる。また、外出時には開き戸が閉まった状態で固定されるため、一般的なロック機能を果たすことができる。
【００７７】
さらに、マルチドアロックには防犯機能が与えられている。したがって、外部者が強制的に開き戸を開こうとすれば、前記防犯機能によって照明灯が点滅するか又は非常ベルが鳴るため、ユーザは外部者が侵入したことを知り、また外部者は防犯機能によって容易に侵入することができない。
【００７８】
また、マルチドアロックには動き感知センサーが設けられている。したがって、外部者が窓などから侵入すれば、前記動き感知センサーを通じて電話機、携帯電話のような通信端末に受信されるため、外部でも容易に外部者が侵入したことを知る。
【符号の説明】
【００７９】
１００    開き戸
２００    ドアロックユニット
３００    ＤＣモーター
３１０    減速機
３２０    最終出力軸
３２１    １次ギア
３３０    電源線
３４０    第１ＤＣモーター
３４１    ２次ギア
３４２    第１出力軸
３４３    回転軸
３４４    ３次ギア
３５０    第２ＤＣモーター
３５１    第２出力軸
３５２    ４次ギア
３６０    回転感知部
３６１    回転感知マイクロスイッチ
３６２    回転カム
３７０    長区間
３７１    回転検出突起
３７２    短区間
４００、４１０    リンク部
５００    制御部
【図１】
2010522295.tif 000003
【図２】
2010522295.tif 000004
【図３】
2010522295.tif 000005
【図４】
2010522295.tif 000006
【図５】
2010522295.tif 000007
【図６】
2010522295.tif 000008
【図７】
2010522295.tif 000009
【図８】
2010522295.tif 000010
【図９】
2010522295.tif 000011
【図１０】
2010522295.tif 000012
【図１１】
2010522295.tif 000013
【図１２】
2010522295.tif 000014
【国際調査報告】
2010522295.tif 000015
2010522295.tif 000016
2010522295.tif 000017
2010522295.tif 000018